(57)【要約】      （修正有）【課題】接着面をロゴ，図柄，キャラクター等を印刷した装飾印刷面または型抜き面にして接着ページをきれいに装飾するとともにインデックス作用をし、インデックス台紙の抜き出しを容易にしたタックインデックスを提供する。【解決手段】ポリプロピレン等の２つ折り透明シートの軸方向の中間に設けるウェルダー溶着線４を挟んで一半にインデックス台紙を出し入れするインデックスポケット６、他半に挟み接着する２枚の接着面７を形成し、２枚の接着面７の一方または双方にロゴ，図柄，キャラクター等の装飾印刷面を型抜きまたは型抜きせずに設けたことを特徴とするタックインデックス８ｂにある。【選択図】図５
0003144120.tif 000002
【実用新案登録請求の範囲】
【請求項１】
ポリプロピレン等の２つ折り透明シートの軸方向の中間に設けるウェルダー溶着線を挟んで一半にインデックス台紙を出し入れするインデックスポケット、他半に挟み接着する２枚の接着面を形成し、該２枚の接着面の一方または双方にロゴ，図柄，キャラクター等の装飾印刷面を型抜きまたは型抜きせずに設けたことを特徴とするタックインデックス。
【請求項２】
接着面を１枚にて形成する請求項１に記載のタックインデックス。
【請求項３】
タックインデックスはインデックスポケット，接着面を形成した透明の長手シートを幅方向にて順次切断して多数枚を形成する請求項１または２に記載のタックインデックス。
【請求項４】
インデックスポケットにインデックス台紙抜取り用の刳溝を設けた請求項１乃至３のいずれかに記載のタックインデックス。
【考案の詳細な説明】
【技術分野】
【０００１】
本考案はファイル，本，各種の帳面，重ね形の印刷物の肩などに見出し用として接着取付けするタックインデックスに関するものである。
【背景技術】
【０００２】
この種の提案としては特開平１０−２３２６１０号公報がある。該公報は一面に筒状のホルダー、他面に挟み方の接着面を形成したことを記載している。
【特許文献１】特開平１０−２３２６１０号公報
【考案の開示】
【考案が解決しようとする課題】
【０００３】
しかしながら、該公報はホルダー筒の両端が同一端面を形成しているため、インデックス台紙の抜出しに難儀するという課題がある。また接着面に何等の雑作がないために接着のほかは機能しないという課題があり、接着ページの体裁を悪くして目ざわりにしているという課題があった。
【課題を解決するための手段】
【０００４】
本考案は、ポリプロピレン等の２つ折り透明シートの軸方向の中間に設けるウェルダー溶着線を挟んで一半にインデックス台紙を出し入れするインデックスポケット、他半に挟み接着する２枚の接着面を形成し、該２枚の接着面の一方または双方にロゴ，図柄，キャラクター等の装飾印刷面を型抜きして、また型抜きせずに設け、さらにインデックスポケットに台紙抜出し用の刳溝を設けて、かかる課題を解決するようにしたのである。
【考案の効果】
【０００５】
本考案のタックインデックスは、接着面にロゴ，図柄，キャラクター等を印刷した装飾印刷面を型抜きして、または型抜きしないで設けたので、装飾印刷面が接着ページを見栄えよく飾るとともに接着面自体も目立つ見出しとなってインデックス作用をするという効果を生ずる。
【０００６】
インデックスポケットに刳溝を設けたのでインデックス台紙を容易に抜き出しすることができるという効果を生ずる。
【０００７】
接着面を１枚にするときはシート材料を節約してコストダウンすることができるという効果を生ずる。
【０００８】
インデックスポケットと接着面を形成した長手シートを幅方向に順次切断することでタックインデックスを効率よく量産することができるという効果を生ずる。
【考案を実施するための最良の形態】
【０００９】
本考案は、ポリプロピレン等の２つ折り透明シートの軸方向の中間に設けるウェルダー溶着線を挟んで一半にインデックス台紙を出し入れするインデックスポケット、他半に挟み接着する２枚の接着面を形成し、該２枚の接着面の一方または双方にロゴ，図柄，キャラクター等の装飾印刷面の型抜き面を設け、インデックスポケットにインデックス台紙抜取り用の刳溝を形成して、インデックス台紙の抜取りが容易にできるようにしたのである。
【実施例１】
【００１０】
図１乃至図３は第１実施例であって、ポリプロピレン等の透明シート１を２つ折りするとともに、中間の軸方向にウェルダー溶着線４を設けて、２つ折り面を線状にて溶着し、該ウェルダー溶着線４を挟んで一半にインデックス台紙５を出し入れするインデックスポケット６、他半に接着面７，７を形成してタックインデックス８とするのである。接着面７，７の外面は装飾印刷面２、内面は剥離紙３ａ付の接着テープ３を貼着する。インデックスポケット５は一側開口の中間に半円形状の刳溝９を設け、挿着したインデックス台紙４の一部が刳溝９から表出するようにしている。なお透明シート１の２つ折り工程は線材を挟んで折り合わすことで簡単に形成することができるものである。
【００１１】
タックインデックス７をファイル帳Ｆなどの見出し用として使用するときは、接着テープ３，３の剥離紙３ａ，３ａを剥がして、接着面７，７をファイル帳Ｆのページ端部を挟むようにして接着取付け、課目等の内容見出しを記入したインデックス台紙５をインデックスポケット６の中に挿着するのである。接着面７，７の外面が装飾印刷面２，２であることで接着ページは華やかに装飾され、装飾印刷面２が目立つことによって接着面７，７自体がインデックスの作用をするものとなる。なおインデックス台紙５はインデックスポケット６内に挟着されることでみだりに抜け出すことはないが、刳溝９から表出する部分をつまむことで容易に抜き出して差し替え等をすることができる。インデックス台紙５の端をインデックスポケット６から少し突出させておいても差し替えは容易にできる。
【００１２】
装飾印刷面２は動植物の図柄，ロゴ，会社名などを入れて作成し、型抜きまたは型抜きしないで設けることで、インデックス台紙５とは別に装飾印刷面２を目印にして目的のページなどを素早く探すことができることとなる。装飾印刷面２を異にする数種のタックインデックス８を使うことで大分類用などに区分け使用することもできる。
【実施例２】
【００１３】
図４は接着面を１枚にて形成する実施例を示すもので、透明シート１を２つ折りでなく一部を余して折る、つまり３分の１程度の部分で折り重ねて端縁をウェルダー溶着線４して一半にインデックスポケット５，他半に１枚の接着面７を有すタックインデックス８ａとするのである。接着面を１枚分としたことで１枚分のシート材料と接着テープを節減することができる。接着面７は型抜き、型抜きしないで装飾印刷面２となることは前例と同じである。
【実施例３】
【００１４】
図５（ａ）は装飾印刷面２の形に沿って型抜きして型抜き面７ａとしたタックインデックス８ｂの例を示すものである。型抜きすることで装飾印刷面２はさらに鮮明な印象を与えて装飾効果とインデックス作用を向上することとなる。
図５（ｂ）は２枚の接着面のうち手前側のみを型抜き面７ａとした例を示し、図５（ｃ）は手前側のみを型抜き面７ａにして且つ接着テープ３を貼着しないでフリーにした例を示すものである。
【実施例４】
【００１５】
図６は透明な長手シート１ａをもってタックインデックス８を形成し、これを幅方向にて順次切断することでタックインデックス８を大量且つ効率的に製造する実施例を示すものである。接着面７を１枚にするものも同様にして大量製造することができる。
【産業上の利用可能性】
【００１６】
本考案は、タックインデックスの接着面もインデックス作用するようにして、且つインデックス台紙を容易に抜き取り差し替えすることのできる有利なタックインデックスとして広く利用することができるものとなる。
【図面の簡単な説明】
【００１７】
【図１】透明シートよりタックインデックスを形成する工程を示す説明図
【図２】タックインデックスの斜視図
【図３】タックインデックスをファイルに取付けた状態を示す部分斜視図
【図４】接着面を１枚にて形成する実施例の形成工程を示す説明図
【図５】（ａ）は装飾印刷面を型抜きした実施例を示す正面図、（ｂ）は手前側のみを型抜き面とした例をしめす正面図、（ｃ）は手前側のみを型抜き面にして且つ接着テープなしのフリーにした例を示す正面図
【図６】大量製造の工程を示す説明図
【符号の説明】
【００１８】
１は透明シート
１ａ透明な長手シート
２は装飾印刷面
３は接着テープ
３ａ剥離紙
４はウェルダー溶着線
５はインデックス台紙
６はインデックスポケット
７は接着面
７ａは型抜き面
８，８ａ，８ｂはタックインデックス
９は刳溝
【図１】
0003144120.tif 000003
【図２】
0003144120.tif 000004
【図３】
0003144120.tif 000005
【図４】
0003144120.tif 000006
【図５】
0003144120.tif 000007
【図６】
0003144120.tif 000008